(57)【要約】
【課題】  遮光性貯留槽にて水質保全を計り、貯留槽内の清掃性と放水水圧が高く、貯留量が認識しやすく、断熱性保護パネルにて雨水温度の保全ができる雨水利用装置及び前記装置に簡単に容量増加及び転倒防止補強ができる雨水利用装置を提供する。
【解決手段】  遮光性貯留槽１と雨水流入口に接続された流入管８と、雨水を外部に取り出す自然落下用取出口１４とを具備する。貯留槽下部は断面Ｕ字型形状で底部にはドレン部４を有し、貯留槽内には加圧ポンプと水位計１０を備える。貯留槽外面には断熱性保護パネルを備える。遮光性により日光が入らず水質劣化が従来より少ない。ドレン部から排泥土等を行えるので貯留槽内の清掃が容易であり、取出口の水圧が高いので散水の他、火災初期消火等の利用範囲も広がる。断熱性保護パネルにて雨水温度の保全ができる。貯留槽を複数連結にて大容量が得られ、貯留槽に備えられるフックにて簡単に転倒防止補強ができる。
【選択図】  図１
0003101189.tif 000002
【実用新案登録請求の範囲】
【請求項１】
雨水を貯留する遮光性材料からなる貯留槽と、前記貯留槽の雨水流入口に接続された雨水流入管と、前記貯留槽に取り付けられ前記貯留された雨水を外部に取り出す自然落下用取出口と、前記貯留槽内部に収納され前記貯留された雨水を加圧する加圧ポンプと、前記貯留槽に取り付けられ前記加圧された雨水を外部に取り出す加圧用取出口と、前記貯留槽内部に収納された母体及び前記貯留槽上部に取り付けられた指示部とから構成された水位計と、
前記貯留槽正面、背面、両側面の１面もしくは複数面に取り付けられた断熱性材料からなる保護パネルとを具備し、前記貯留槽下部には断面Ｕ字型形状部を有し、且つ前記Ｕ字型形状部の底部にはドレン部を有していることを特徴とする雨水利用装置。
【請求項２】
前記貯留槽正面、背面、両側面の１面もしくは複数面には他の貯留槽と連通させる連結装置及び転倒防止チェーン等を固定するフックが取り付けられていることを特徴とする請求項１に記載の雨水利用装置。
【考案の詳細な説明】
【技術分野】
【０００１】
本考案は、貯留した雨水を庭への散水や洗車などに使用する雨水利用装置に関するものである。
【背景技術】
【０００２】
近年、水資源を有効に利用するために、雨水を洗車や庭の芝生などへの散水などに用いることが多くなっている。従来、家屋などの建築物の屋根もしくは天面に降った雨水は、軒樋に集められ、数か所に配設されている縦樋を通ってそのまま地面に放水されるか、別途に設置されている配水管や排水溝に沿って流出させて処理する。そこで、雨水の有効利用のため集めた雨水を雨水槽に貯留しておき使用時に必要な場所に供給する方法が行われる様になってきている。
雨水を利用する従来技術には、例えば、特許文献１に、縦雨樋から分岐して受水路側に接続される分岐管の分岐流路部が受水路側に向かって下向きに傾斜し、溢水路から縦雨樋に合流するように接続される合流管の合流路部が溢水路から縦雨樋に向かって下向きに傾斜している雨水利用システム（図１参照）が記載されている。
【０００３】
また、特許文献２には、立樋内を落下する雨水を一時的に蓄溜すると共に雨水取出口との水位を構築してこの一時蓄溜水を任意の位置にある貯水容器内に導入して所望レベルの水位で貯水し、この貯水が前記レベルを越えた場合に前記一時蓄溜水側から溢水させて地下の排水溝側に導入して前記レベルを保持する雨水貯水方法（図１参照）が記載されている。貯水容器にはポリバケツ状のものが用いられる。
また、特許文献３には、建造物のサイデングボード内側に一体に雨水貯水タンクを設けることが記載されている（図１参照）。タンクは、塩化ビニールなどの合成樹脂からなる材料を用いている。
【特許文献１】特開２００３−３５２７号公報
【特許文献２】特開２０００−３５２０７９号公報
【特許文献３】特開２００３−６４７３０号公報
【考案の開示】
【考案が解決しようとする課題】
【０００４】
前述のように、雨水を有効に利用する雨水貯留槽は、従来から知られており、水資源の有効な利用に役立っていた。しかし、従来の雨水貯留槽には次のような諸問題があった。（１）  雨水貯留槽の材質はほとんどが塩化ビニールなどのプラスチックスで形成されており、遮光性を考慮した材料は、その存在が認められなかった。（２）  雨水貯留槽は、地面に直接設置されるので底面が平坦な形状のものが多く貯留槽内部は泥土が溜まり易い。（３）  雨水貯留槽内に雨水を長期間貯留していると日光の影響を受けて貯留された雨水の水質劣化などが起こり易い。（４）  雨水貯留槽から雨水を取り出す場合、自然落下で放水することになるので、高い水圧で放水されず、雨水の利用に限りがあった。（５）  雨水貯留槽内に溜まっている雨水の量の確認が難しい。（６）  貯留槽内の雨水温度は、貯留槽が日光に晒される夏場は高くなり水質劣化などが起こり易くまた高温水は草花への悪影響があり、寒気に晒される冬場は低くなり低温水も草花への悪影響があり、さらに低温になると凍結などが起こり易い。（７）  貯留槽の貯留量は、設置時に選定した量で定まり、設置後その貯留量を増やすには、大容量の貯留槽に入れ換える為、経費や労力を必要とした。（８）  台風に代表される特異な自然現象時において、貯留槽の転倒を防ぐ補助固定具がなく、必要時に縄等で固定する必要があった。
【０００５】
本考案は、このような事情によりなされたものであり、遮光性の貯留槽を用いて水質の保全を計り、且つ貯留槽内部の泥土を排除し易い構造を有し、貯留槽内部の雨水を水圧の高い状態で放水することができ、洗車や広い範囲の散水が可能であり、貯留槽内部の雨水量が外部から容易に認識でき、貯留槽が日光あるいは寒風に晒されることの少なく必要時に簡単に転倒防止性を高めることのできる雨水利用装置を提供する。
【課題を解決するための手段】
【０００６】
請求項１に係る考案は、雨水を貯留する遮光性材料からなる貯留槽と、前記貯留槽の雨水流入口に接続された雨水流入管と、前記貯留槽に取り付けられ前記貯留された雨水を外部に取り出す自然落下用取出口と、前記貯留槽内部に収納され前記貯留されている雨水を加圧する加圧ポンプと、前記貯留槽に取り付けられ前記加圧された雨水を外部に取り出す加圧用取出口と、前記貯留槽内部に収納された母体及び前記貯留槽上部に取り付けられた指示部から構成された水位計と、前記貯留槽正面、背面、両側面の１面もしくは複数面に取り付けられた断熱性材料からなる保護パネルとを具備し、前記貯留槽下部には断面Ｕ字型形状の部分を有し、前記Ｕ字型形状の底部にはドレン部を有する雨水利用装置を特徴としている。遮光性材料としてはステンレス材に代表される防錆系金属あるいは有色ポリエチレンに代表される遮光性プラスチック、有色ＦＲＰに代表される遮光性ＦＲＰ  （繊維強化プラスチック）などが用いられる。防錆系金属としてはステンレス材以外にアルミニウム、ジュラルミン、銅、銅合金などが用いられる。断熱性材料としては、ウッドパネルに代表される木材、耐候性プラスチック、ＦＲＰなどが用いられる。
請求項２に係る考案は、請求項１に係る考案において、前記貯留槽正面、背面、両側面の１面もしくは複数面には他の貯留槽と連通させる連結装置及び転倒防止チェーン等を固定するフックが取り付けられていることを特徴としている。
【考案の効果】
【０００７】
請求項１に係る考案では、貯留槽に遮光性材料を用いており、その結果日光が貯留槽内部に入らないため貯留槽内雨水の水質劣化が従来のものより少なくなるので、雨水を長期に保存することが可能になる。また、貯留槽下部を断面Ｕ字型形状に形成し、貯留槽内部に入り込んだ土埃や泥土を集め易くすると共に、断面Ｕ字型形状の底部に具備されたドレン部から清掃済水、泥土の排出を行うことができるので、貯留槽内の清掃が容易に行える。また、ステンレス材に代表される防錆系金属を貯留槽材に用いた場合には、まず、錆が発生しずらく、その材料特性から薄型にすることができ、その結果、敷地が狭い住宅環境に配慮することができる。さらに、前記貯留槽内部に加圧ポンプを取り付けているので、取出口からでる雨水の水圧が高く、バケツやジョウロ等に汲み替えなくとも洗車や広範囲の散水ができるので、火災時の初期消火にも使用できる。
【０００８】
従来の自然落下圧による水圧は０．０１ＭＰａ／ｃｍ2 以下程度であるが、本考案のように加圧ポンプを用いると水圧は、０．０２ＭＰａ／ｃｍ2 以上が得られる。また、前記貯留槽に取り付けられた水位計により雨水の貯留量を槽外から確認できるので雨水の有効活用が可能になる。断熱性材料からなる保護パネルを貯留槽の正面、背面、両側面のいずれか１面もしくは複数面、例えば、貯留槽の正面側に取り付けて日光あるいは寒風に直接貯留槽が晒されるのを防ぐ。このようにすれば、貯留槽内部の雨水温度の上昇あるいは低下を緩和することができ、その結果、雨水温度による草花への影響を低減できる。また、雨水温度の低下が従来よりも遅延できるので、雨水が凍結する可能性も低くなる。
請求項２に係る考案では、貯留槽の正面、背面、両側面のいずれか１面もしくは複数面に連結装置を設けているので、複数の貯留槽を連結連通し、ひとつの貯留槽として扱うことができ自由な配置で容量の大きい雨水利用装置にすることが可能になる。また、最初にひとつの貯留槽を設置しておき必要時に増設して行くことも可能になるので、容量に応じて設置換えをしなくてすむ。また、支持脚の据付部をアンカーボルト等により固定し貯留槽の転倒を防止できる。さらに貯留槽の正面、背面、両側面のいずれか１面もしくは複数面には転倒防止用チェーンを固定するフックを取り付けているので、台風等の特異な自然現象時などに、簡単に貯留槽の転倒防止等を補強することができる。
【考案を実施するための最良の形態】
【０００９】
以下、図面を参照して発明を実施するための最良の形態を説明する。
【実施例１】
【００１０】
図１乃至図１３を参照して実施例１を説明する。
図１は、雨水利用装置の斜視図、図２は、雨水利用装置の上面図、図３は、雨水利用装置の正面図、図４は、雨水利用装置の右側面図、図５は、雨水利用装置の左側面図、図６は、図２のＡ−Ａ断面図、図７は、図２のＢ−Ｂ断面図、図８は、図２のＣ−Ｃ断面図、図９は、図２のＤ−Ｄ断面図、図１０は、雨水利用装置を設置した建物の左側面図、図１１は、雨水利用装置を設置した建物の正面図、図１２は、雨水利用装置の加圧ポンプを用いた場合の動作を説明する状態図、図１３は、雨水利用装置の貯留状態を説明する状態図である。
【００１１】
まず、図１乃至図５を参照して雨水利用装置の外観を説明する。ステンレス製の貯留槽１は、薄い箱型を有している。ステンレス材を用いると、薄型に成型することができるので、狭い敷地に立てられた建物に最適である。貯留槽１の蓋２で覆われる上面は、角型の平坦な面であるが、底面を含む下部は断面Ｕ字型形状の部分を有している（図１参照）。貯留槽１は、貯留槽１の下部４隅に取り付けた支持脚１５により安定して設置するように構成され（図１参照）、更に、支持脚１５の下端にはボルト固定可能な据付部を取り付けてあるので、アンカーボルト（図示しない）などを用いて地面に固定し、より安定した設置をすることができる。貯留槽１正面外側の下部には、加圧ポンプにつながる加圧用取出口３が取り付けられ、正面外側の上部には加圧ポンプに電源を入れるスイッチ１１が取り付けられている。そして、正面外側表面には断熱性材料からなる保護パネルである格子状ウッドパネル５が取り付けられている。
格子状ウッドパネル５は、貯留槽１が日光あるいは寒風に晒されるのを防ぎ貯留された雨水温度の上昇あるいは低下を緩和することができ、雨水温度による草花への影響を低減できる。また、雨水温度の低下が従来よりも遅延できるので、雨水が凍結する可能性も低くなる。格子状ウッドパネル５には、鉢植えの花などを固定して観賞することや園芸用品などを掛けて整理等ができる。
【００１２】
貯留槽１の上面角部には流れ込む雨水を受け入れる開口部（図示しない）が取り付けられ、その開口部に（雨水）流入管８が取り付けられている。開口部は、貯留槽１を敷地や建物に対して効率良く有効に設置するために、上面角部が選ばれる。どの角部に設けるかは、その建物環境に応じて選択される。また、貯留槽１上面の中央部分外側には、水位計１０が取り付けられている。底面中央部分は、貯留槽１の最も低い部分であり、この部分に、泥土や水を排出できるようにドレン部（ドレンバルブ）４が取り付けられている（図３参照）。また、貯留槽１左側面の内側面近傍には、先端部分が底面から突出するように配置されたオーバーフロー管７が取り付けられ、左側面の外側面下部には、自然落下用取出口１４が取り付けられている（図３参照）。貯留槽１右側面および左側面の外側上部には転倒防止用チェーン（図示しない）を固定するフック２１が取り付けられ、右側面の外側下部には他の貯留槽の内部と連通する連結装置２２が設けられている（図４参照）。また、貯留槽１背面の上部外側には、加圧ポンプを駆動するための電源コード１３が設けられている（図４参照）。
【００１３】
次に、図６乃至図９を参照して貯留槽の内部構造を説明する。ステンレス製の貯留槽１は、雨水を溜めるように構成されている。貯留槽１に取り付けた蓋２に形成された開口部（図示しない）には、流入管８が取り付けられ、雨水は、そこから貯留槽内部に取り入れられる。この実施例では開口部を覆うようにゴミ取りバスケット６が装着され、流入管８を介して入り込むゴミを排除している。蓋２に取り付けられた水位計１０は、蓋の外側には水位計の指示部が設けられ、貯留槽内部には浮子を含む水位計母体が設置されている。加圧ポンプ９は、貯留槽１内の概ね下部に設置されている。
【００１４】
加圧ポンプ９は、貯留槽１の正面上部外側に取り付けられたスイッチ１１を介して、電源に差し込まれるソケットを有する貯留槽外の電源コード１３に接続されている（図８参照）。スイッチ１１は、加圧ポンプ９へ供給される電力を接離する（図８参照）。一方、加圧された雨水は、加圧ポンプ９に接続されたパイプ１９を介して、加圧用取出口３から外部へ供給される（図８参照）。貯留槽１左側面の内側面近傍に取り付けられているオーバーフロー管７は、筒状であり、下端が貯留槽１底面から突出しており上端は、貯留槽１内の上部に配置され、蓋２に近接している。なお、この実施例では、貯留槽１内部に活水抗菌セラミックス１２のような素材を配置することができる。
【００１５】
次に、図１０及び図１１を参照して貯留槽を建物に設置したときの状態を説明する。薄く形成された貯留槽１は、建物２３に沿って、建物２３に近接して配置される。そして、支持脚１５の下端に取り付けた据付部２４にアンカーボルトなどで地面に固定している。また、建物２３には屋根１８に軒樋１７が取り付けられており、軒樋１７に配設された縦樋１６に流入管８が繋がっている。建物２３には電源が設けられており、電源コード１３のソケットが装着されるようになっている。建物２３の屋根１８に降った雨水は、軒樋１７に集められ、縦樋１６、流入管８を介して貯留槽１に蓄えられる。
【００１６】
次に、図１１及び図１２を参照して貯留槽に取り付けられた加圧用取出口の動作を説明する。加圧ポンプ９に繋がる電源コードのソケットは建物の電源に差し込まれている。建物の屋根に降った雨水は、軒樋に集められ、縦樋、流入管を介して貯留槽１に蓄えられる。貯留槽１の雨水２０は、満水の状態にある（図１２（ａ））。スイッチ１１をオンにすると加圧ポンプ９が作動して加圧された雨水２０がパイプ１９を通って加圧用取出口３に加圧状態で供給され、加圧用取出口３の開栓により外部へ供給される（図１２（ｂ））。次に、スイッチ１１をオフにして雨水の加圧を止め、加圧用取出口３の閉栓により、雨水の外部への供給を止める（図１２（ｃ））。勿論、加圧用取出口から雨水が供給されている時でも必要によっては自然落下用取出口１４を開栓して雨水を出しても良い。
【００１７】
次に、図１３を参照して貯留槽の作用を説明する。
図１３（ａ）は、貯留槽１に雨水が全く溜まってない状態である。その後、雨水２０が流入管８から貯留槽１に流れ込み出す（図１３（ｂ））。雨水２０の流入がさらに続いて水位が上がり、満水状態になる（図１３（ｃ））。さらに雨水２０の流入が続くと、雨水２０は、オバーフロー管７から外部へ放出されて満水状態は維持され、以下、雨水２０の流入が続いてもこの状態は、維持される（図１３（ｄ））。
【００１８】
この実施例では、直接日光が入らないため水質が従来より長期に保存することができる。また、ドレン部から排水、排泥土を行うので貯留槽内の清掃が容易である。また、ステンレスで代表される防錆系金属を貯留槽材に用いているので、錆が発生しずらく加工性が良いので薄型にすることができ、その結果、敷地が狭い住宅環境に十分配慮することができる。また、加圧ポンプにより取出口からでる雨水の水圧が高くなり、バケツやジョウロ等に汲み替えなくとも洗車や広範囲の散水ができるので、火災時の初期消火にも使用できる。さらに、転倒し難く、貯留された雨水温度の上昇あるいは低下を緩和することができ、雨水温度による草花への影響を低減でき、雨水が凍結する可能性も低くなり、格子状ウッドパネルに、鉢植えの花や園芸用品などを掛けることができる。
【実施例２】
【００１９】
次に、図１４を参照して実施例２を説明する。
図１４は、貯留槽を複数槽（この場合２槽である）連結した雨水利用装置の正面図である。この実施例では、複数の貯留槽を用いて大容量の雨水利用装置を組み立てることに特徴がある。格子状ウッドパネル５、５′を取り付けた２つの貯留槽１、１′が建物の壁に沿って一列に配列され、それぞれの貯留槽１、１′に設けられた連結装置２２、２２′同士が両者を連結パイプ２５で連結する。この連結によって、両者の内部は連通されて２倍の容量を持つ雨水利用装置が得られる。加圧用取出口３、３′は夫々の貯留槽１、１′に取り付けることができる。雨水流入管８は、この実施例のように、１つの貯留槽１にのみ取り付けても良いし、他の貯留槽１′にも取り付けることができる。連結する貯留槽はさらに増やすこともできる。また、フック２１は、台風等の特異な自然現象時などに、建物２３などに固定されているチェーン（図示しない）を掛けて簡単に貯留槽の転倒防止等を補強する。
【００２０】
この実施例では、遮光性材料を用いており直接日光が入らないため水質を従来より長期に渡って維持することができる。また、ドレン部から排水、排泥土を行うことができるので貯留槽内の清掃が容易である。また、ステンレスで代表される防錆系金属を貯留槽の素材に用いているので錆が発生し難く、さらに、その材料特性から薄型にすることができ、その結果、敷地が狭い住宅環境に配慮することができる。また、加圧ポンプにより取出口からでる雨水の水圧が高く、バケツやジョウロ等に汲み替えなくとも洗車や広範囲の散水ができるので火災時の初期消火などにも使用できる。また、転倒し難く、貯留された雨水温度の上昇あるいは低下を緩和することができ、雨水温度による草花への影響を低減でき、雨水が凍結する可能性も低くなり、格子状ウッドパネルに、鉢植えの花や園芸用品などを掛けることができる。また、必要に応じ雨水利用装置の容量を自由な配置で大きくでき、増設も簡単にできる。さらに、台風等の特異な自然現象時に、簡単に貯留槽の転倒防止等を補強できる。
本考案は、以上の実施例のみに限定されるものではなく様々な実施の態様が考えられる。
【産業上の利用可能性】
【００２１】
貯留槽に遮光性材料を用いているので、日光による水質劣化が従来のものより少なくなり、従来のように貯留槽内水の入替え頻度が減るので限りある資源をさらに有効利用できるようになった。貯留槽内部に加圧ポンプを取り付けているので加圧用取出口を自然落下用取出口と併用できるようになり、洗車や広範囲の散水ができ、火災時の初期消火などにも使用できるようになった。貯留された雨水温度の上昇あるいは低下を緩和することができ、雨水温度による草花への影響を低減でき、雨水が凍結する可能性も低くできるようになった。必要に応じ雨水利用装置の容量を自由な配置で大きくでき、増設も簡単にできるようになった。台風等の特異な自然現象時に、簡単に貯留槽の転倒防止等を補強できるようになった。
【図面の簡単な説明】
【００２２】
【図１】雨水利用装置の斜視図。
【図２】雨水利用装置の上面図。
【図３】雨水利用装置の正面図。
【図４】雨水利用装置の右側面図。
【図５】雨水利用装置の左側面図。
【図６】図２のＡ−Ａ断面図。
【図７】図２のＢ−Ｂ断面図。
【図８】図２のＣ−Ｃ断面図。
【図９】図２のＤ−Ｄ断面図。
【図１０】雨水利用装置を設置した建物の左側面図。
【図１１】雨水利用装置を設置した建物の正面図。
【図１２】雨水利用装置の加圧ポンプを用いた場合の動作を説明する状態図。
【図１３】雨水利用装置の貯留状態を説明する状態図。
【図１４】貯留槽を複数連結した実施例２の雨水利用装置の正面図。
【符号の説明】
【００２３】
１、１′    貯留槽
２    蓋
３、３′    加圧用取出口
４    ドレン部
５、５′    ウッドパネル
６    ゴミ取りバスケット
７    オーバーフロー管
８    （雨水）流入管
９    加圧ポンプ
１０  水位計
１１  スイッチ
１３  電源コード
１４  自然落下用取出口
１５  支持脚
１６  縦樋
１７  軒樋
１８  屋根
１９  パイプ
２０  雨水
２１  フック
２２、２２′  連結装置
２３  建物
２４  据付部
２５  連結パイプ
【図１】
0003101189.tif 000003
【図２】
0003101189.tif 000004
【図３】
0003101189.tif 000005
【図４】
0003101189.tif 000006
【図５】
0003101189.tif 000007
【図６】
0003101189.tif 000008
【図７】
0003101189.tif 000009
【図８】
0003101189.tif 000010
【図９】
0003101189.tif 000011
【図１０】
0003101189.tif 000012
【図１１】
0003101189.tif 000013
【図１２】
0003101189.tif 000014
【図１３】
0003101189.tif 000015
【図１４】
0003101189.tif 000016